(57)【要約】【課題】高音の周波数特性を改善することにより、音の明瞭度を向上させるコーンスピーカを提供する。【解決手段】コーン型振動板２は、その中央部の内周端縁にボイスコイルボビン７が接合され、その前面中央部にセンタキャップ４を有する。コーン型振動板２の外周端縁は、エッジ３を介してフレーム１のフランジ１ａに固定支持される。センタキャップ４は、ドーム状振動板として機能する。ホーン体５の根元部５ａは、センタキャップ４の前面に近接離隔して小径の根元開口部２２を形成し、ホーン体５の内面５ｃは、根元部５ａから第１の音響通路に沿って先端部５ｂまで拡大され、この先端部５ｂはホーン開口部２３を形成する。ホーン体５は、ホーン支持体６によりフレーム１のフランジ１ａに固定支持される。【選択図】図１
2010045496.tif 000002
【特許請求の範囲】
【請求項１】
コーン型振動板がセンタキャップを有し、前記コーン型振動板の外周端縁がエッジを介してフレームに固定支持されるコーンスピーカにおいて、
ホーン体を有し、
前記ホーン体の根元部は、前記センタキャップの前面に近接離隔して小径の根元開口部を形成し、
前記ホーン体の内面は、前記根元開口部から第１の音響通路に沿って先端部まで拡大され、
前記先端部はホーン開口部を形成し、
前記ホーン体の背面は、前記コーン形振動板の内面との間に第２の音響通路を形成し、
前記ホーン体は、前記フレーム又はバッフルに固定支持される、
ことを特徴とするコーンスピーカ。
【請求項２】
前記ホーン体の根元部は、前記センタキャップの前面に沿った曲面形状である、
ことを特徴とする請求項１に記載のコーンスピーカ。
【請求項３】
前記ホーン体の背面は、該ホーン体の背面側に膨らむ形状である、
ことを特徴とする請求項１又は２に記載のコーンスピーカ。
【請求項４】
イコライザを有し、
前記イコライザの基底部は、前記ホーン体の内部にあって、前記センタキャップの前面に沿って近接離隔した曲面形状であり、
前記イコライザの外周面は、前記ホーン体の内面との間に前記第１の音響通路を形成し、該第１の音響通路に沿って縮小する形状であり、
前記イコライザは、前記ホーン体又は前記フレーム又は前記バッフルに固定支持される、
ことを特徴とする請求項１から３までのいずれか１項に記載のコーンスピーカ。
【発明の詳細な説明】
【技術分野】
【０００１】
本発明は、フルレンジ用のコーンスピーカに関するものである。
【背景技術】
【０００２】
従来、コーンスピーカの高音特性を改善するために、種々の構造が知られており、例えば、ダブルコーンスピーカがある。ダブルコーンとは、ボイスコイルボビンの先端に、小径軽量のセンタコーンを付けたものである。高域においてセンタコーンが振動することにより、シングルコーンに比べて高音の輻射能率が増加する。
しかし、センタコーンは外周が支持されていないため共振を起こして音が歪むとともに、両コーンから放射される音の干渉により周波数特性が乱れるという問題がある。
また、コーンの前中央に球状のデュフューザを配置したものがある。このデュフューザにより位相特性が改善され、高音の指向特性が改善される。しかし、位相特性の改善は、高音の特定部のみとなるため、満足できる音質が得られにくいという問題がある。
【０００３】
また、環状位相等化器（ドーナツ形のイコライザ）を設けたものがある（特許文献１参照）。
図１０は、環状位相等化器を設けた従来のコーンスピーカの説明図である。
図中、１０１は主コーン、１０２は副コーン、１０３は駆動線輪枠（ボイスコイルボビン）、１０４はコーン保持膜（ダンパ）、１０５は環状位相等化器である。
円錐状の主コーン１０１の中央部分にドーム形の副コーン１０２をつけることにより高い周波数の輻射能率を増大させる。
主コーン１０１と副コーン１０２との境界稜線１０６の近傍の主コーン１０１内面に環状位相等化器１０５を設ける。これにより、環状位相等化器１０５による回折現象によって、開口面において各部より出る音波の位相差を小さくする。その結果、周波数による輻射インピーダンスの変動を小さくするとともに、指向特性を改良することができると記載されている。また、位相差による音波の干渉のために生ずる音圧周波数特性上の凹凸をなくするとも記載されている。
しかし、この環状位相等化器１０５は、高音のレスポンスを上げることにより明瞭度を上げようとするものではない。
【０００４】
また、低音用コーンスピーカの中心部に高音用のスピーカを配置した同軸型スピーカがある。しかし、同軸型スピーカは、異なる性格のスピーカの複合体であるため、各スピーカの音質のつながりが悪いという問題がある。また、各スピーカのボイスコイルの位置が前後にずれるため、各スピーカから出る音波の位相がずれるという問題もある。
【特許文献１】特公昭３１−９９０３号公報
【発明の開示】
【発明が解決しようとする課題】
【０００５】
本願発明は、高音の周波数特性を改善することにより、スピーカから放出される音の明瞭度を向上させるコーンスピーカを提供することを目的とするものである。
【課題を解決するための手段】
【０００６】
本発明は、請求項１に記載の発明においては、コーンスピーカにおいて、ホーン体を有し、前記ホーン体の根元部は、前記センタキャップの前面に近接離隔して小径の根元開口部を形成し、前記ホーン体の内面は、前記根元開口部から第１の音響通路に沿って先端部まで拡大され、前記先端部はホーン開口部を形成し、前記ホーン体の背面は、前記コーン形振動板の内面との間に第２の音響通路を形成し、前記ホーン体は、前記フレーム又はバッフルに固定支持されるものである。
センタキャップに対するホーン体の配置は、ホーンスピーカに似た構造となるため、センタキャップから第１の音響通路を経由して出る音がホーンスピーカの特性を有するものとなる。
また、第２の音響通路において、ホーン体は、コーン型振動板の根元部から出る音とセンタキャップからの音の干渉をなくし、レスポンスの低下を防いでいる。
【０００７】
請求項２に記載の発明においては、請求項１に記載のコーンスピーカにおいて、前記ホーン体の根元部は、前記センタキャップの前面に沿った曲面形状であるものである。
従って、ホーン体の根元部とセンタキャップの前面との間の空間がセンタキャップの振動により圧縮されるコンプレッション効果により、電気音響変換効率が上がる。
【０００８】
請求項３に記載の発明においては、請求項１又は２に記載のコーンスピーカにおいて、前記ホーン体の背面は、該ホーン体の背面側に膨らむ形状である。
従って、第２の音響通路において、コーン型振動板から出る音波がホーン体の背面によって反射したものとコーン型振動板から出る音波との位相干渉を少なくしている。
【０００９】
請求項４に記載の発明においては、請求項１から３までのいずれか１項に記載のコーンスピーカにおいて、イコライザを有し、前記イコライザの基底部は、前記ホーン体の内部にあり、前記センタキャップの前面に沿って近接離隔した曲面形状であり、前記イコライザの外周面は、前記ホーン体の内面との間に前記第１の音響通路を形成し、該第１の音響通路に沿って縮小する形状であり、前記イコライザは、前記ホーン体又は前記フレーム又は前記バッフルに固定支持されるものである。
従って、前記音響通路の位置を、センタキャップの中心部と周辺部とから等距離にすることにより、センタキャップの中心部から出る音波とセンタキャップの周辺部から出る音波の位相を一致させ、高域における位相干渉によるレスポンスの低下が防止される。また、前記ホーン体と前記イコライザの間の音響通路の面積を一端狭くしてしぼり率を上げることにより、電気音響変換効率が上がる。
【発明の効果】
【００１０】
本発明は、構成簡単にして、高音特性が改善され、スピーカから出る音の明瞭度が向上するという効果がある。
センタキャップの前に配置されたホーン体により、大信号入力時でもボイスコイルの飛び出しが規制されるから、コーン型振動板の破壊を防ぐことができる。ホーン体やこのホーン体の支持体の存在により、ユーザがセンタキャップやコーン振動板まで指を入れにくい。そのため、センタキャップやコーン振動板が不用意に指押しされる等による破損を防ぐことができる。
【００１１】
本発明には、従来のダブルコーンスピーカに比べて、不要共振を起こしたり、音の干渉を生じたりするセンタコーンがない。
本発明には、従来のディフューザ環状位相等化器を備えたものに比べて、高音のレスポンスが向上する。環状位相等化器は、センタキャップから離れていること、及び、環状位相等化器の中心穴がホーン形状から大きく隔たっているために、高音のレスポンスが上がらない。
本発明は、従来の同軸型スピーカと比較すると、単一ユニットであるため、つながりの良い音質が得られ、音源中心点が異なることによる位相ずれが発生しない。
【発明を実施するための最良の形態】
【００１２】
図１は、本発明の第１の実施形態のコーンスピーカの説明図である。図１（ａ）は平面図、図１（ｂ）は図１（ａ）のスピーカ中心軸を通るＡ−Ａ断面において、矢視Ａ方向を見た正面断面図である。図１（ｃ）は、変形例の要部を拡大した正面断面図である。
図１（ａ）において、１はフレーム、２はコーン型振動板、３はエッジ、４はセンタキャップ、５はホーン体、６はホーン支持体である。
図１（ｂ）において、７はボイスコイルボビン、８はボイスコイル、９はダンパ、１０はポールピース、１０ａはセンタポール、１０ｂはフランジ、１１はプレート、１２はマグネット、１３は入力端子板、１４は錦糸線（リード線）である。
【００１３】
最初に、一般的なコーン型スピーカと共通する構造について説明する。
フレーム１は、前面にフランジ１ａを有する。フランジ１ａの詳細な構造は省略している。フランジ１ａにつながる傾斜支持板１ｃには複数の背面開口部１ｄが設けられている。背面開口部１ｄの形状、個数及び配置は任意である。
傾斜支持板１ｃの根元部１ｅから段差を設けて円形状底板１ｆを有し、この円形状底板１ｆには、後述するボイスコイルボビン７が挿通される貫通穴１ｇが設けられている。
フランジ１ａには、後述するホーン支持体６の外端部６ａが重ね合わされる部分に、取付穴１ｂが形成されている。この取付穴１ｂは、コーンスピーカを、図示しない、前面バッフル板や天井板等のバッフルにネジ部材で取り付けるためのものである。この取付穴は、フランジ１ａの他の箇所（角度位置）にあってもよい。
【００１４】
このコーン型スピーカは、動電型（ダイナミック）スピーカであり、磁気回路に電流を流すことにより発生する電磁力を利用する。
コーン型振動板２は、その中央部の内周端縁にボイスコイルボビン７が接合され、その前面中央部にセンタキャップ４を有する。
コーン型振動板２の外周端縁は、エッジ３を介してフレーム１のフランジ１ａに固定支持される。
【００１５】
センタキャップ４は、ドーム状振動板として機能する。図示のセンタキャップ４は、コーン型振動板２におけるボイスコイルボビン７に近い位置に接合されているが、ボイスコイルボビン７とともに同じ内周端縁に接合されてもよい。
ボイスコイルボビン７は円筒部材であり、ボイスコイル８が巻かれている。
ダンパ９はボイスコイルボビン７と、傾斜支持板１ｃの根元部１ｅとに接合され、ボイスコイルボビン７をフレーム１に支持する。ダンパ９はスパイダとも呼ばれる。
【００１６】
ボイスコイルボビン７には、ポールピース１０のセンタポール１０ａが挿通され、前後（図示では上下）に移動可能である。ポールピース１０の後端面（図示下面）は、フランジ部１０ｂであり、一方、フレーム１の円形状底板１ｆの背面に穴あき円盤形状のプレート１１が接合されている。これらのフランジ部１０ｂとプレート１１とに挟まれて穴あき円盤形状のマグネット１２が設けられている。センタポール１０ａとプレート１１の中央穴１１ａとの間に、円筒状の磁気ギャップが形成され、この磁気ギャップに、ボイスコイル８が配置されている。
【００１７】
ボイスコイル８の図示しない引出線は、コーン型振動板２上において、錦糸線（リード線）１４に接続され、錦糸線１４は、入力端子板１３に接続される。
上述した、ポールピース１０、プレート１１、マグネット１２により磁気回路が構成され、磁気ギャップに位置するボイスコイル８に音声信号が供給されるとボイスコイルボビン７、コーン型振動板２及びセンタキャップ４が振動し、音波がコーン型振動板２のコーン開口部２１から放音される。
【００１８】
この実施の形態は、上述したコーン型スピーカの一般的な構造において、ホーン体５を追加したものである。
ホーン体５は、コーン型スピーカの中心軸に対し、対称形状である。ホーン体５の図示下方、根元部５ａ近傍の断面は肉厚がほぼゼロであるため、根元部５ａは線状の円形となる。
根元部５ａは、センタキャップ４の前面に近接離隔して小径の根元開口部２２を形成し、ホーン体５の内面５ｃは、根元部５ａから第１の音響通路に沿って先端部５ｂまで拡大され、この先端部５ｂはホーン開口部２３を形成する。先端部５ｂ近傍の肉厚は、図示の例では、ほぼゼロであるため、先端部５ｂは線状の円形となる。
【００１９】
一般に、ホーンスピーカは、コーン型スピーカに比べて、電気音響変換効率が大きい。しかし、その音響通路の長さ等に応じて周波数特性が変化する。
図示のホーン体５は、センタキャップ４をホーンスピーカの振動板と見立てて、高音の電気音響変換効率を上げ、音の明瞭度を良くするためのものである。従って、ホーン体５は、センターキャップホーンと言うこともできる。
しかし、ホーンスピーカにおいて、ドーム型振動板は、ホーン体の開口部を除いて密閉空間の中にある。従って、センタキャップ４とホーン体５との組合せは、ホーンスピーカそのものではない。
【００２０】
レスポンスを上げたい周波数帯域に合うように、図示のホーン体５の第１の音響通路は比較的短く、ホーン開口部２３は、コーン型振動板２のコーン開口部２１よりも、図示下方に後退している。
根元部５ａは、センタキャップ４の前面に可能な限り接近離隔させる方が、ホーンスピーカの構造に近づくために好ましい。しかし、センタキャップ４は、入力音声信号により振動する。
そのため、根元部５ａは、最大許容入力時におけるセンタキャップ４の振動によっても、このセンタキャップ４に接触しないような間隔で近接離隔しているものとする。その結果、この接触によるノイズの発生やセンタキャップ４の損傷が防止される。
【００２１】
フルレンジスピーカの場合、スピーカ口径は16.5cm〜20cmであり、低音ほど最大振幅が大きく、最大許容入力時において、センタキャップ４は振動によって2〜3mm前まで変位する。従って、ホーン体５の根元部５ａは、センタキャップ４よりも3mmの離隔をさせることが適切である。
なお、ホーン体５の根元部５ａにフェルト等の緩衝部材を設けておけば、センタキャップ４が衝突してもセンタキャップ４が損傷を受けにくい。
ホーン体５の背面５ｄは、コーン形振動板２の内面２ａと非接触である。ホーン体５の背面５ｄは、コーン形振動板２の内面２ａとの間に、第２の音響通路を形成する。
コーン形振動板２から出る音波は、第２の音響通路に沿って中心軸に対し斜めに放出されることからディフューザとして機能し、高域における指向性が広がる。
【００２２】
図示のホーン体５は、従来のホーンスピーカのホーン体のような、断面の肉厚が一様なものではなく、ホーン体５の背面５ｄがホーン体５の背面側に膨らむ形状である。言い換えれば、ホーン体５の背面側に凸となるように湾曲して膨らんでいる。図示の形状は、なめらかな曲面状であるが、所定の半径を有する部分球面に形成してもよい。
このような背面５ｄの形状であれば、コーン型振動板２から発生した音波と、この音波が背面５ｄで反射した音波とが位相干渉しにくいので、位相の乱れが少なく、そのため周波数レスポンスにも乱れが生じにくい。
位相の乱れが問題とならない場合は、ホーン体５の肉厚が一定であってもよい。
【００２３】
ホーン体５が上述した配置となるように、ホーン体５は、コーンスピーカの中心軸に対し、等角度で放射状に配置された４本のホーン支持体（スポーク）６により、フレーム１のフランジ１ａに固定支持される。ホーン支持体６は４本以外の複数でもよい。
ホーン支持体６は、音波の伝搬に影響を与えないように小さくされる。
図示のホーン支持体６は、図示の例では半円状断面を有するエッジ３に触れないように、前方に凸となるように湾曲している。
ホーン支持体６は、その外端部６ａにおいて、フランジ１ａに重ね合わされ、その取付穴６ｂが取付穴１ｂの位置に一致する。ホーン支持体６の内端部６ｃは、ホーン体５の先端部５ｂに接合されている。
【００２４】
図１（ｃ）に示す変形例は、図１（ｂ）のホーン体５を、ホーン支持体６１を用いて、前面バッフルや天井板等のバッフル６２に固定支持するようにしたものである。
フレーム６３の構成は、図１（ｂ）のフレーム１と基本的には変わらない。フランジ６３ａに形成された取付穴６３ｂに、ネジ６４を差し込み、コーンスピーカをバッフル６２に取付け固定する。取付穴６３ｂは、フランジ６３ａの他の箇所（角度位置）にあってもよい。
【００２５】
図示のホーン支持体６１は、エッジ３及び取付穴６３ｂのネジ６４に触れないように、前方（図示上方）に凸となるように湾曲している。ホーン支持体６１の外端部６１ａに、取付穴６１ｂが形成され、その上部に凹部６１ｃが形成されている。ホーン支持体６は４本以外の複数でもよい。
取付穴６１ｂにネジ６４を差し込み、ホーン支持体６１をバッフル６２に取付け固定する。ネジ６４の頭部は凹部６１ｃに埋め込まれる。フレーム６３とホーン支持体６１とは、バッフル６２を介して結合されるから、ホーン体５は間接的にフレーム１に固定支持されることになる。
【００２６】
上述した構成により、ホーン体５は、ホーン支持体６，６１を介してフレーム１に固定されるから、コーン型振動板２やセンタキャップ４の振動がホーン体５に伝達されない。
ホーン体５及びホーン支持体６，６２は、木材、合成樹脂、金属等、あるいは、それらの組合せ体である。振動しにくい高剛性の複合材料が好ましい。ホーン体５とホーン支持体６，６２とは一体成型されてもよい。
【００２７】
図２は、図１に示したホーン体５の作用効果を示す周波数レスポンスのグラフである。このグラフは実測値を示すものではなく、説明用に作成されたものである。
図中、横軸は周波数（対数）［kHz］、縦軸は周波数応答（レスポンス）［dB］である。破線３１は、従来のコーン型スピーカの特性である。実線３２は、従来のコーン型スピーカにホーン体５を設けたとき、破線３１の特性とは異なる帯域における特性を示している。
ホーン体５を設けることにより、中域を少し超えたあたり（約2〜10［kHz］）の高音の帯域で、2〜3dBの改善が見られる。
【００２８】
従来のコーン型スピーカでは、実線３２で示された帯域において、応答が低下するとともに、コーン型振動板２の根元部と周縁部との位相差による音波の干渉、あるいは、コーン型振動板２の分割振動による、ピークとディップが生じる。
これに対し、ホーン体５を設けることにより、実線３２で示された帯域においてセンタキャップ４にかかる放射インピーダンスを増大させ、スピーカのインピーダンスマッチングがはかられ、高域の能率が高くなる。
【００２９】
図３は、本発明の第２の実施形態を説明する正面断面図である。
この実施形態では、図１に示したホーン体５をホーン体４１に置き換えた。他の構成については、図１と同様であり、同様な部分には同じ符号を付している。
このホーン体４１も、コーン型スピーカの中心軸に対し、回転対称形状である。ホーン体４１の根元部４１ａ近傍の断面は肉厚である。根元部４１ａは、センタキャップ４の前面に沿って比較的広い面積を有する曲面形状であって、センタキャップ４の前面に近接離隔して小径の根元開口部４２を形成している。
図示のセンタキャップ４はドーム型であるため、根元部４１ａは湾曲面を有している。
ホーン体４１の内面４１ｃは、根元開口部４２から第１の音響通路に沿って先端部４１ｂまで拡大され、先端部４１ｂはホーン開口部４３を形成している。
【００３０】
このホーン体４１の背面４１ｄは、コーン形振動板２の内面２ａとの間に第２の音響通路を形成し、ホーン体４１は、４本のホーン支持体６によりフレーム１のフランジ１ａに固定支持される。
ホーン支持体６に代えて、図１（ｃ）のホーン支持体６１を用いてもよい。ホーン支持体６，６１は４本以外の複数でもよい。
この実施形態では、ホーン体４１の根本部４１ａがセンタキャップ４の中央を除いて、近接離間した状態で覆うため、センタキャップ４から放出される音波は、根元開口部４２に絞られて放出される。その結果、特に高音において、音響インピーダンスが大きくなりインピーダンスのマッチングが取れることにより、レスポンスが向上する。
先端部４１ｂ、背面４１ｄは、その形状については、図１のホーン体５と同様であり、ディフューザとして機能する。
【００３１】
図４は、本発明の第３の実施形態を説明する正面断面図である。
この実施の形態は、図３に示した第２の実施形態にイコライザ５４を追加したものである。そのため、ホーン体５１は、図３のホーン体４１に比べ、根本部５１ａ近傍の断面は肉薄である。根元部５１ａは、センタキャップ４の前面に沿って比較的狭い面積を有する曲面形状であって、根元開口部５２を図３の根元開口部４２よりも大きくしている。コーン開口部５３は、図３のコーン開口部４３と変わらない。
【００３２】
このイコライザ５４の基底部５４ａは、ホーン体５１の内部にあり、センタキャップ４の前面に沿って近接離隔した曲面形状である。イコライザ５４の外周面５４ｂは、ホーン体５１の内面５１ｃとの間に第１の音響通路を形成し、この第１の音響通路に沿って縮小する形状である。図示の例では、傾斜面が徐々に小さくなり、先端部５４ｃにおいて１点となる円錐形状（円弧側面を有する円錐）のものである。
図示の例においては、先端部５４ｃは、ホーン体開口部５３よりも前方の、ほぼ、コーン型振動板２のコーン開口部２１の位置にある。
【００３３】
上述したイコライザ５４の配置は、外周面５４ｂから放射状に配置された４本のイコライザ支持体５５が、ホーン体５１の内面５１ｃに接合され、ホーン支持体６を介して、間接的にフレーム１のフランジ１ａに固定支持されることにより実現される。
ホーン支持体６に代えて、図１（ｃ）のホーン支持体６１を用いてもよい。ホーン支持体６，６１は４本以外の複数でもよい。
また、イコライザ支持体５５を、直接的にフレーム１の、例えばフランジ１ａに固定支持されるようにしてもよい。あるいは、イコライザ支持体５５を、図１（ｃ）のバッフル６２に固定支持して、間接的にフレーム１に固定支持されるようにしてもよい。
【００３４】
上述したイコライザ５４は、音響通路の面積を一端狭くしてしぼり率を上げることとなり、その結果、電気音響変換効率を向上させる。
又、前記音響通路の位置をセンタキャップの中心部と周辺部とから等距離にすることにより、センタキャップ４の中心部から放出される音波の位相と、センタキャッ４の周辺部から放出された音波の位相とのずれを少なくする。その結果、イコライザ５４を追加することにより、更に高音再生の能率が高くなり、明瞭度が向上する。
【００３５】
上述したイコライザ５４としては、図示の形状に限らず、従来のホーンスピーカに採用されているようなものを使用できる。例えば、基底部５４ａから前方に向かって複数本の音導路を有し、各音導路が背面５４ｂに開口を有するような形状であってもよい。
イコライザ支持体５５は、音波の伝搬に影響を与えないように小さくされる。
イコライザ５４、イコライザ支持体５５は、振動しないことが前提であり、ホーン５、ホーン支持体６と同様の材料で形成される。これらは、ホーン５、ホーン支持体６とともに、一体成型されてもよい。
【００３６】
上述した説明では、スピーカグリルやスピーカネットについて触れなかった。しかし、通常の使用形態では、スピーカのコーン開口部は、スピーカグリルやスピーカネットに覆われて内部が保護される。
スピーカグリルやスピーカネットを使用することを前提とした場合、上述したホーン体５，４１，５１は、適切な形状のホーン支持体を介してスピーカグリルやスピーカネット枠に結合されたり、一体成型されたりしてもよい。
イコライザ５４についても、同様に、適切な形状のイコライザ支持体を介してスピーカグリルやスピーカネット枠に結合されたり、一体成型されたりしてもよい。
スピーカグリルやスピーカネット枠がコーンスピーカ前面バッフル（天井スピーカの場合天井板に相当する）に取り付けられることにより、ホーン体、イコライザは、同じく前面バッフルに取り付けられたフレームに間接的に固定支持されることになる。
【００３７】
図５〜図９は、本発明の第１の実施形態の出力音圧周波数特性を示すグラフである。無響室とはいえない室内において、複数の周波数点におけるレスポンスを簡易測定したものである。
試作スピーカは、市販の口径20cmのフルレンジコーンスピーカにホーン支持体を設けた。試作スピーカは、図１に示した構造のコーンスピーカと基本的には同じであるが、具体形状は、図１の通りではない。ホーン支持体は、銅製の金属棒を折り曲げて木製のホーン体を支持している。コーン型振動板は紙、センタキャップはアルミニウム薄板である。
【００３８】
図５〜図９は、それぞれ、コーンスピーカの中心軸方向、15度、30度、45度、60度の方向での出力音圧周波数特性の測定結果を示す。破線は、ホーン体を追加する前の特性、実線は、ホーン体を追加したものの特性である。
ピンクノイズを入力し、コーン型振動板のコーン開口部から50［cm］距離（部屋の影響を避けるために、一般的な１［m］よりも近くした）において測定した。
部屋の共振の影響を受けにくい200［Hz］以上の周波数について、20［kHz］までの出力音圧レベル（SPL：Sound Pressure Level）［dB］を簡易測定した。
【００３９】
図５、図６に示されるセンター（中心軸方向）及び15度の方向においては、3,200〜10,000［Hz］において、ホーン体５を付加することにより、音圧が上昇している。
一般に、ホーンスピーカは、コーンスピーカよりも音響変換効率が10［dB］程度高い。しかし、振動板とホーンの根元部とは、開口部を除いて密閉し、コンプレッションドライバとすることが常識であった。これに対し、本願発明の実施形態では、密閉されていないにもかかわらず、明瞭度を上げる程度に高域を上げることができた。
【００４０】
図７に示されるように、30度でも、上述した高音の帯域において、音圧の低下が小さい従って、指向特性も改善されていることがわかる。
図８、図９に示される、45度、60度の方向になると、ホーン体を付加したことの効果が見られなくなる。
測定結果の図示を省略したが、ホーン体５の根元部５ａに厚みがない図１のコーンスピーカに、イコライザ（図４に示したイコライザ５４よりも基底部５４ａの径が大きい）を付加した場合、20,000［Hz］付近での音圧が上昇した。
【００４１】
本件スピーカに誤操作により直流成分が印加された時などに、図１（ｂ）では根元部５ａがセンタキャップ４の突出を、図３では根元部４１ａの下面がセンタキャップ４の突出を、図４では根本部５１ａの下面がセンタキャップ４の突出を防止することができる。この場合、対応面の大きい図３、図４の実施形態が有効である。
【００４２】
本発明は、明瞭度が、広い角度範囲で要求される天井取り付け型スピーカ（シーリングスピーカ）に適している。
【図面の簡単な説明】
【００４３】
【図１】本発明の第１の実施形態のコーン型スピーカの説明図である。
【図２】図１に示したホーン体の作用効果を示すグラフである。
【図３】本発明の第２の実施形態を説明する正面断面図である。
【図４】本発明の第３の実施形態を説明する正面断面図である。
【図５】本発明の第１の実施形態の周波数特性（中心軸）を示すグラフである。
【図６】本発明の第１の実施形態の周波数特性（15度）を示すグラフである。
【図７】本発明の第１の実施形態の周波数特性（30度）を示すグラフである。
【図８】本発明の第１の実施形態の周波数特性（45度）を示すグラフである。
【図９】本発明の第１の実施形態の周波数特性（60度）を示すグラフである。
【図１０】環状位相等化器を設けた従来のコーンスピーカの説明図である。
【符号の説明】
【００４４】
１…フレーム、１ａ…フランジ、１ｂ…取付穴、１ｃ…傾斜支持板、１ｄ…背面開口部、１ｅ…根元部、１ｆ…円形状底板、１ｇ…貫通穴、２…コーン型振動板、２ａ…内面、２ｂ…背面、３…エッジ、４…センタキャップ、５…ホーン体、５ａ…根元部、５ｂ…先端部、６…ホーン支持体、６ａ…外端部、６ｂ…取付穴、６ｃ…内端部、７…ボイスコイルボビン、８…ボイスコイル、９…ダンパ、１０…ポールピース、１０ａ…センタポール、１０ｂ…フランジ部、１１…プレート、１１ａ…中央穴、１２…マグネット、１３…入力端子板、１４…錦糸線、２１…コーン開口部、２２…根元開口部、２３…ホーン開口部、
３１…従来のコーン型スピーカの特性、３２…ホーン体を設けたコーン型スピーカの特性、
４１…ホーン体、４１ａ…根元部、４１ｂ…先端部、４１ｃ…内面、４１ｄ…背面、４２…根元開口部、４３…ホーン開口部、
５１…ホーン体、５１ａ…根本部、５１ｂ…先端部、５１ｃ…内面、５１ｄ…背面、５２…根元開口部、５３…ホーン開口部、５４…イコライザ、５４ａ…基底部、５４ｂ…外周面、５４ｃ…先端部、５５…イコライザ支持体、
１０１…主コーン、１０２…副コーン、１０５…環状位相等化器、１０６…境界稜線
【図１】
2010045496.tif 000003
【図２】
2010045496.tif 000004
【図３】
2010045496.tif 000005
【図４】
2010045496.tif 000006
【図５】
2010045496.tif 000007
【図６】
2010045496.tif 000008
【図７】
2010045496.tif 000009
【図８】
2010045496.tif 000010
【図９】
2010045496.tif 000011
【図１０】
2010045496.tif 000012